(57)【要約】【課題】本発明は、複数のシート材が上下に重なった状態で、下のシート材が破損することなく、上のシート材を容易に連続して切断することができるシート材切断用の刃、シート材切断用カッター、及び、シート材切断用カッターの治具を提供すること。【解決手段】シート材切断用の刃１は、フック形状２を有する板材からなり、フック形状２の先端から奥に向かって延びる案内部２１と、フック形状において案内部２１の奥に設けられている刃部２２とを有する。シート材切断用カッター１０は、シート材切断用の刃１を有する。シート材切断用カッターの治具５は、シート材切断用カッター１０に取り付け可能となっており、シート材切断用の刃１と壁面、床面又は天井面との距離が一定に維持された状態でシート材を切断できる。【選択図】  図２
2019129898.tif 000002
【特許請求の範囲】
【請求項１】
フック形状を有する板材からなり、
フック形状の先端から奥に向かって延びる案内部と、フック形状において案内部の奥に設けられている刃部とを有することを特徴とするシート材切断用の刃。
【請求項２】
請求項１に記載のシート材切断用の刃を備えるシート材切断用カッター。
【請求項３】
請求項２に記載のシート材切断用カッターに取り付け可能となっており、
シート材切断用の刃と壁面、床面又は天井面との距離が一定に維持された状態でシート材を切断できるシート材切断用カッターの治具。
【発明の詳細な説明】
【技術分野】
【０００１】
本発明は、シート材を切断するシート材切断用の刃、シート材切断用カッター、及び、シート材切断用カッターの治具に関する。
【背景技術】
【０００２】
建物の保護を目的として、建物の外壁や屋根等の表面にシート材を貼り付ける施工がある。シート材を貼り付けることによって、建物の外壁や屋根の防水性、光反射性、断熱性等を向上させることができる。
【０００３】
シート材を貼り付ける施工において、複数のシート材が上下に重なった状態で、上のシート材のみを切断する必要がある。
【０００４】
このような複数のシート材が上下に重なった状態で、上のシート材のみを切断可能なカッターとして、特許文献１に示す鈎状刃を有するカッターがある。この使用者は、先端が下向きになった状態の鈎状刃を上のシート材のみに当てながら、カッターを手前に引くことによって、上のシート材を連続して切断することができるようになっている。
【先行技術文献】
【特許文献】
【０００５】
【特許文献１】実開昭５９−９８８７２号
【発明の概要】
【発明が解決しようとする課題】
【０００６】
特許文献１に示す鈎状刃を有するカッターでは、重なった上のシート材を切断する際に、鈎状刃の先端が重なった下のシート材に接触してしまい、下のシート材が破損してしまう。鈎状刃の先端が重なった下のシート材に接触しないようにするため、鈎状刃と下のシートとの距離を確保するために、カッターを上に持ち上げながら手前に引くこととなる。
【０００７】
しかしながら、カッターを上に持ち上げながら手前に引くと、鈎状刃が上のシート材の上方に抜けてしまう。あらためて、上のシート材の切断途中の位置に鈎状刃を挿入する必要があり、シート材を連続して切断することが難しいという問題がある。
【０００８】
上記点より、本発明は、複数のシート材が上下に重なった状態で、下のシート材が破損することなく、上のシート材を容易に連続して切断することができるシート材切断用の刃、シート材切断用カッター、及び、シート材切断用カッターの治具を提供することを目的とする。
【課題を解決するための手段】
【０００９】
上記課題を解決するため請求項１のシート材切断用の刃は、フック形状を有する板材からなり、フック形状の先端から奥に向かって延びる案内部と、フック形状において案内部の奥に設けられている刃部とを有する。
【００１０】
請求項１のシート材切断用の刃によれば、上下に重なった状態のシート材のうち、切断したい上のシート材のみが案内部によって刃部に向かって案内されることによって、上のシート材を連続切断することができる。上のシート材の下に、下のシート材を保護するための下敷き等を設置しなくてもよい。
【００１１】
請求項１のシート材切断用の刃によれば、シート材切断用の刃が板状となっていることによって、シート材切断用の刃は板厚方向に厚みを有することとなる。シート材切断用の刃の刃部以外の部分が下のシート材に触れても、シート材切断用の刃の厚みがあるので、下のシート材に点接触又は線接触することがなく、下のシート材が破損する可能性を減らすことができる。
【００１２】
また、請求項１のシート材切断用の刃によれば、シート材切断用の刃を備えるシート材切断用カッターを上に持ち上げながら手前に引いても、案内部が上のシート材の切断されていない部分に引っ掛かることで、刃が上のシート材の上方に抜けることがない。そのため、上のシート材の連続切断を容易に行うことができる。
【００１３】
請求項１のシート材切断用の刃によれば、シート材切断用の刃は、案内部と刃部が一体となっていることによって、案内部から刃部へとシート材が案内される場合に引っ掛かり等がなくスムーズにシート材が案内される。
【００１４】
請求項２のシート材切断用カッターは、請求項１に記載のシート材切断用の刃を備える。
【００１５】
請求項２のシート材切断用カッターによれば、請求項１の作用に加えて、例えばカッターと下敷きとが一体となって移動させる構成のカッターよりも軽量で、上下のシート材との摩擦を大幅に抑制することができる。
【００１６】
請求項３のシート材切断用カッターの治具は、請求項２に記載のシート材切断用カッターに取り付け可能となっており、シート材切断用の刃と壁面、床面又は天井面との距離が一定に維持された状態でシート材を切断できる。
【００１７】
請求項３のシート材切断用カッターの治具によれば、請求項２の作用に加えてシート材切断用カッターの治具が、シート材切断用の刃と壁面、床面又は天井面との距離が一定を維持される。そのため、この治具を備えるシート材切断用カッターを手前に引いて上のシートを切断すると、上のシート材の切断面と壁面、床面又は天井面との距離が一定となる。
【発明の効果】
【００１８】
請求項１から３のいずれかの発明によれば、複数のシート材が上下に重なった状態で、下のシート材が破損することなく、上のシート材を容易に連続して切断することができる。
【図面の簡単な説明】
【００１９】
【図１】本発明に係る一実施形態のシート材切断用の刃の側面図である。
【図２】本発明に係る一実施形態のシート材切断用カッターの側面図である。
【図３】図２のシート材切断用カッターの平面図である。
【図４】図２のシート材切断用カッターの正面図である。
【発明を実施するための形態】
【００２０】
以下、本発明の一実施形態のシート材切断用の刃１について説明する。
【００２１】
シート材切断用の刃１は、図１に示すように、両端部にフック形状２，２を有する。シート材切断用の刃１は、両フック形状２，２の間に、長孔３，３が形成されている。
【００２２】
フック形状２は、フック形状２の先端から奥に向かって延びる案内部２１と、フック形状２において案内部２１の奥に設けられている刃部２２とを有する。
【００２３】
フック形状２の先端である案内部２１の先端は丸まっている。そのため、複数のシート材が上下に重なった状態で上のシート材を切断する際に、案内部２１の先端が下のシート材に接触しても、下のシート材が破損しないようになっている。
【００２４】
刃部２２において、刃線２２ａが刃境２２ｂと離間しており、刃線２２ａのどの位置で上のシート材が切断され始めても、その切断面同士が刃境２２ｂに到達するまで徐々に離間するようになっている。そのため、上のシート材の切断抵抗を抑制することができる。
【００２５】
また、刃部２２の刃線２２ａは、フック形状２に合わせて湾曲している。湾曲することによって、厚さのある上のシート材に対して刃部２２が斜めに当たるようになっているので、切断抵抗を抑制することができる。
【００２６】
案内部２１は、シート材切断用の刃１が上のシート材に対して相対的に進行する方向に刃部２２の刃線２２ａよりも延出している。案内部２１によって、切断される上のシート材は、下のシートから離間方向である上方向に持ち上げられつつ刃部２２に案内されるようになっている。
【００２７】
フック形状２は、刃線２２ａのフック先端側の端から案内部２１を経由してフック形状２の背に至るまで滑らかな曲線で構成されている。
【００２８】
長孔３，３には、シート材切断用の刃１を後述するシート材切断用カッター１０の本体４に固定するためのネジが貫通するようになっている。
【００２９】
シート材切断用の刃１は、ステンレスの板材を加工して製造される。ステンレスの板材の厚さは、１．０ｍｍ〜２．０ｍｍである。この厚さの範囲のステンレスの板材でシート材切断用の刃１を製造することによって、複数のシート材が上下に重なった状態で上のシート材を切断する際に、シート材切断用の刃１の刃線２２ａ以外の部分が下のシート材に接触しても、下のシート材を傷つけることを抑制できる。
【００３０】
また、この厚さの範囲のステンレスの板材でシート材切断用の刃１を製造することによって、上のシート材の切断抵抗を抑制することができる。
【００３１】
フック形状２は、刃線２２ａのフック先端側の端から案内部２１を経由してフック形状２の背に至るまで滑らかな曲線で構成されている。これによっても、シート材切断用の刃１の刃線２２ａ以外の部分が下のシート材に接触しても、下のシート材を傷つけることを抑制できる。
【００３２】
また、シート材切断用の刃１がステンレス等の金属の刃であれば、樹脂材料の刃と異なり、案内部２１と上のシート材との摩擦を抑制する。また、シート材切断用の刃１がステンレス等の金属の刃であれば、シート材切断用の刃１のフック形状２の背２３と下のシート材とが接触した状態で連続して切断する場合でも、フック形状２の背２３と下のシート材と摩擦を抑制することができる。したがって、使用者は、少ない力で上のシート材を切断することができる。
【００３３】
以下、本発明の一実施形態のシート材切断用の刃１を取り付けたシート材切断用カッター１０について説明する。
【００３４】
シート材切断用カッター１０は、上述のシート材切断用の刃１と、本体４と、治具５とを有する。
【００３５】
本体４は、使用者が把持する把持部４１と、把持部４１の両端の固定部４２，４２とを有する。
【００３６】
固定部４２は、シート材切断用の刃１を挟んだ状態で固定できる刃固定板４２ａ，４２ａを有する。刃固定板４２ａ，４２ａには、互いに対向する位置にネジ穴が形成されている。
【００３７】
シート材切断用の刃１が刃固定板４２ａ，４２ａに挟まれた状態で、刃固定板４２ａ，４２ａのネジ穴と、シート材切断用の刃１の長孔３との位置を調整して、ネジで固定できるようになっている。つまり、シート材切断用の刃１は固定部４２に取り付け固定及び取り外し可能となっている。
【００３８】
シート材切断用の刃１は、一方のフック形状２のみが露出、他方のフック形状２は４２ａ，４２ａに挟まれている。
【００３９】
シート材切断用の刃１の一方のフック形状２は、長孔を貫通するネジの位置を調節することによって、一方のフック形状２が固定部４２から突出する量を変えることできる。
【００４０】
治具５は、本体固定部５１と延出部５２とを有する。
【００４１】
本体固定部５１は、シート切断用カッター１０の本体４にネジで固定できるようになっている。つまり、治具５は、本体４に取り付け固定及び取り外し可能となっている。
【００４２】
延出部５２は、図３の平面図に示すように、本体から離れる方向に伸びている。図３の平面図では、延出部５２の先端は曲線状となっている。曲線となっていることによって、延出部５２の先端が、壁面、床面又は天井面と接触した状態を維持しながら、シート切断用カッター１０を動かして切断する場合がある。
【００４３】
このような場合に、延出部５２と壁面、床面又は天井面との摩擦を抑制することができる。
【００４４】
治具５は、図４の正面図で示すように、略Ｌ字状となっている。図４の正面図では、延出部５２の先端は下方に曲がっている。例えば、壁面及び床面によって構成される角に上のシート材を延出部５２の先端で押し付けた状態で、シート切断用カッター１０を動かして、上のシート材を切断する場合がある。
【００４５】
このような場合に、図４中の矢印Ａの方向にシート切断用カッター１０を傾ける量を減らすことができ、使用者は、上のシート材を連続切断しやすくなる。
【００４６】
上記実施形態では、シート材切断用の刃１は、図１に示すように、両端部にフック形状２，２を有する場合について説明したが、これに限定されることはない。シート材切断用の刃は、片方の端部にフック形状を有していてもよい。
【００４７】
上記実施形態では、刃部２２の刃線２２ａと刃境２２ｂの両端が交差しない場合について説明したが、これに限定されることはない。刃部２２の刃線２２ａ及び刃境２２ｂにかこまれた領域が三日月形状となっていてもよい。
【００４８】
上記実施形態では、シート材切断用カッター１０は、把持部４１の両端の固定部４２，４２とを有する場合について説明したが、これに限定されることはない。シート材切断用カッターは、把持部の片方の端部に固定部を有していてもよい。
【００４９】
上記実施形態で説明した治具５の形状はあくまで一例である。シート材切断用の刃と壁面、床面又は天井面との距離が一定を維持される他の形状の治具を用いてもよい。
【符号の説明】
【００５０】
１      シート材切断用の刃
２      フック形状
３      長孔
４      本体
５      治具
１０    シート切断用カッター
２１    案内部
２２    刃部
２２ａ  刃線
２２ｂ  刃境
４１    把持部
４２    固定部
４２ａ  刃固定板
５１    本体固定部
５２    延出部
【図１】
2019129898.tif 000003
【図２】
2019129898.tif 000004
【図３】
2019129898.tif 000005
【図４】
2019129898.tif 000006